(57)【要約】【課題】電子データが無い図面から、図面に記載されている設備の情報を電子データ化する情報処理装置、情報処理方法、及びプログラムを提供する。【解決手段】情報処理装置は、少なくとも建物に関する意匠と対象の設備とが描かれている第１図面と、少なくとも前記建物に関する意匠が描かれ前記対象の設備が描かれていない第２図面とに基づいて前記第１図面と前記第２図面との差分情報を抽出し、前記対象の設備の図を前記差分情報から生成する差分情報抽出部と、を備える。【選択図】図６
2019128778.tif 000002
【特許請求の範囲】
【請求項１】
少なくとも建物に関する意匠と対象の設備とが描かれている第１図面と、少なくとも前記建物に関する意匠が描かれ前記対象の設備が描かれていない第２図面とに基づいて前記第１図面と前記第２図面との差分情報を抽出し、前記対象の設備の図を前記差分情報から生成する差分情報抽出部と、
を備える情報処理装置。
【請求項２】
前記差分情報の抽出により前記対象の設備に関する情報が欠落した部分を、前記抽出された差分情報に基づいて補間した第３図面を生成する補間処理部
を備える請求項１に記載の情報処理装置。
【請求項３】
前記補間処理部は、
前記抽出された差分情報が、所定の面内で前記欠落した部分を挟んで第１差分情報と第２差分情報とに分割されており、前記第１差分情報と前記第２差分情報との間を繋ぐように補完する
請求項１又は請求項２に記載の情報処理装置。
【請求項４】
前記差分情報抽出部は、
前記第２図面に描かれた線を太く変換した後に、前記差分情報を抽出する
請求項１又は請求項２に記載の情報処理装置。
【請求項５】
前記対象の設備の形状を示すデータを用いて前記対象の設備を抽出する変換処理制御部
を備える請求項１から請求項４の何れか１項に記載の情報処理装置。
【請求項６】
前記差分情報抽出部は、
前記第１図面に記載されている文字と数字の何れかを含む指定情報を抽出し、
前記変換処理制御部は、
前記抽出された指定情報を、前記抽出された対象の設備に関連付ける
請求項５に記載の情報処理装置。
【請求項７】
コンピュータが、
少なくとも建物に関する意匠と対象の設備とが描かれている第１図面と、少なくとも前記建物に関する意匠が描かれ前記対象の設備が描かれていない第２図面とに基づいて前記第１図面と前記第２図面との差分情報を抽出するステップと、
前記対象の設備の図を前記差分情報から生成するステップと、
を含む情報処理方法。
【請求項８】
コンピュータに、
少なくとも建物に関する意匠と対象の設備とが描かれている第１図面と、少なくとも前記建物に関する意匠が描かれ前記対象の設備が描かれていない第２図面とに基づいて前記第１図面と前記第２図面との差分情報を抽出するステップと、
前記対象の設備の図を前記差分情報から生成するステップと、
を実行させるためのプログラム。
【発明の詳細な説明】
【技術分野】
【０００１】
本発明は、情報処理装置、情報処理方法、及びプログラムに関する。
【背景技術】
【０００２】
ＣＡＤシステム（情報処理装置）によって図面を作成することが普及しているが、電子データが無い図面や、紙に記載された図面の情報をＣＡＤシステムに取り込むことが困難な場合がある。紙に記載された設備図などを画像データとして読み取ることにより、コンピュータに取り込み、画像として閲覧することがある。
【先行技術文献】
【特許文献】
【０００３】
【特許文献１】特開平１０−１２４５５４号公報
【発明の概要】
【発明が解決しようとする課題】
【０００４】
しかしながら、画像データとして取り込む方法で読み取った画像に電気シンボル表示して、コンピュータを用いて閲覧できても、この方法ではＣＡＤシステムで利用可能な画像情報は得られず、利便性が低い。
【０００５】
本発明が解決しようとする課題は、電子データが無い図面から、図面に記載されている設備の情報を電子データ化する情報処理装置、情報処理方法、及びプログラムを提供することにある。
【課題を解決するための手段】
【０００６】
（１）本発明の一態様の情報処理装置は、少なくとも建物に関する意匠と対象の設備とが描かれている第１図面と、少なくとも前記建物に関する意匠が描かれ前記対象の設備が描かれていない第２図面とに基づいて前記第１図面と前記第２図面との差分情報を抽出し、前記対象の設備の図を前記差分情報から生成する差分情報抽出部と、を備える情報処理装置である。
【０００７】
（２）また、上記の情報処理装置は、前記差分情報の抽出により前記対象の設備に関する情報が欠落した部分を、前記抽出された差分情報に基づいて補間した第３図面を生成する補間処理部を備える情報処理装置である。
【０００８】
（３）また、上記の情報処理装置において、前記補間処理部は、前記抽出された差分情報が、所定の面内で前記欠落した部分を挟んで第１差分情報と第２差分情報とに分割されており、前記第１差分情報と前記第２差分情報との間を繋ぐように補完する。
【０００９】
（４）また、上記の情報処理装置において、前記差分情報抽出部は、前記第２図面に描かれた線を太く変換した後に、前記差分情報を抽出する。
【００１０】
（５）また、上記の情報処理装置は、前記対象の設備の形状を示すデータを用いて前記対象の設備を抽出する変換処理制御部を備える。
【００１１】
（６）また、上記の情報処理装置において、前記差分情報抽出部は、前記第１図面に記載されている文字と数字の何れかを含む指定情報を抽出し、前記変換処理制御部は、前記抽出された指定情報を、前記抽出された対象の設備に関連付ける。
【００１２】
（７）本発明の一態様の情報処理方法は、コンピュータが、少なくとも建物に関する意匠と対象の設備とが描かれている第１図面と、少なくとも前記建物に関する意匠が描かれ前記対象の設備が描かれていない第２図面とに基づいて前記第１図面と前記第２図面との差分情報を抽出するステップと、前記対象の設備の図を前記差分情報から生成するステップとを含む。
【００１３】
（８）本発明の一態様のプログラムは、コンピュータに、少なくとも建物に関する意匠と対象の設備とが描かれている第１図面と、少なくとも前記建物に関する意匠が描かれ前記対象の設備が描かれていない第２図面とに基づいて前記第１図面と前記第２図面との差分情報を抽出するステップと、前記対象の設備の図を前記差分情報から生成するステップとを実行させるためのプログラムである。
【発明の効果】
【００１４】
本発明によれば、電子データが無い図面から、図面に記載されている設備の情報を電子データ化する情報処理装置、情報処理方法、及びプログラムを提供する。
【図面の簡単な説明】
【００１５】
【図１】本発明の実施形態に係る情報処理装置の構成図である。
【図２】実施形態の情報処理装置の構成図である。
【図３】実施形態に係る設備が配置される建物の平面図である。
【図４】実施形態に係る設備の設備図である。
【図５】図４の設備図に係る設備の配置図である。
【図６】実施形態の情報抽出処理の手順を示すフローチャートである。
【図７】実施形態に係る図面を補修する処理について説明するための図である。
【図８】第１変形例に係る図面を補修する処理について説明するための図である。
【図９】第２変形例に係る文字と数字を抽出する処理について説明するための図である。
【図１０】第３変形例に係る文字と数字を抽出する処理について説明するための図である。
【発明を実施するための形態】
【００１６】
以下、本発明の実施形態の情報管理装置、情報可視化方法及びプログラムについて、添付図面を参照して説明する。
【００１７】
図１は、本発明の実施形態に係る情報処理装置の構成図である。実施形態の情報処理装置１００は、紙の図面に記載されている図を読みとって電子データに変換する。
【００１８】
情報処理装置１００は、例えば、ＣＰＵ１００Ａと、ＲＡＭ（Random Access Memory）１００Ｂと、不揮発性記憶装置１００Ｃと、可搬型記憶媒体ドライブ装置１００Ｄと、入出力装置１００Ｅと、読取装置１００Ｆとを備える。情報処理装置１００は、ＣＰＵ１００Ａに代えて、任意の形態のプロセッサを備えてもよいし、図１に示した各構成要素のうち一部を省略してもよい。
【００１９】
ＣＰＵ１００Ａは、不揮発性記憶装置１００Ｃに格納されたプログラム、又は可搬型記憶媒体ドライブ装置１００Ｄに装着された可搬型記憶媒体に格納されたプログラムをＲＡＭ１００Ｂに展開して実行することで、以下に説明する種々の処理を行う。ＲＡＭ１００Ｂは、ＣＰＵ１００Ａによってワーキングエリアとして使用される。不揮発性記憶装置１００Ｃは、例えば、ＨＤＤやフラッシュメモリ、ＲＯＭ（Read Only Memory）などである。可搬型記憶媒体ドライブ装置１００Ｄには、ＤＶＤ（Digital Versatile Disc）やＣＤ（Compact Disc）、ＳＤカードなどの可搬型記憶媒体が装着される。入出力装置１００Ｅは、例えば、タッチパネルとしての操作検出部、表示部などを含む。読取装置１００Ｆは、紙の図面に記載されている図や文字などの情報を読みとって電子データ化する。
【００２０】
図２を参照して、実施形態に係る情報処理装置１００の機能構成について説明する。図２は、実施形態の情報処理装置１００の構成図である。
【００２１】
情報処理装置１００は、記憶部１１０と、制御部１２０とを備える。制御部１２０は、例えば、ＣＰＵ１００Ａがプログラムを実行することにより実現される。また、制御部１２０は、ＬＳＩ（Large Scale Integration）やＡＳＩＣ（Application Specific Integrated Circuit）、ＦＰＧＡ（Field-Programmable Gate Array）などのハードウェアによって実現されてもよいし、ソフトウェアとハードウェアが協働することで実現されてもよい。
【００２２】
実施形態に係る制御部１２０は、指定位置取得部１２１と、画像取得部１２２と、設備抽出部１２３（差分情報抽出部）と、補正処理部１２４（補間処理部）と、変換処理制御部１２６と、出力処理部１２７とを備える。各部の詳細は後述する。
【００２３】
記憶部１１０には、平面図ＤＢ１１１、設備図ＤＢ１１２、配置図ＤＢ１１３、基準モデルＤＢ１１４などが格納される。
【００２４】
平面図ＤＢ１１１には、対象の建物の平面図などが格納される。図３は、実施形態に係る設備が配置される建物の平面図である。建物の平面図には、基準点Ｏを基準にして、建物の外壁ＯＷ、内壁ＩＷ、窓、扉などが配置された位置と、それらに関する情報が記載されている。図３に示す建物には、部屋Ｒ１から部屋Ｒ３などが設けられている。平面図は、第２図面の一例である。なお、上記の平面図に代えて、意匠図などを用いてもよい。その場合、平面図ＤＢ１１１には、対象の建物の意匠図などが格納される。意匠図には、平面図のほか、平面詳細図、配置図、立面図、断面図、展開図などが含まれる。以下の説明は、対象の建物の平面図を、第２図面として用いる事例を示すものである。
【００２５】
設備図ＤＢ１１２には、抽出対象の設備の建物内の配置状況を示す設備図が格納される。図４は、実施形態に係る設備の設備図である。図４に示す設備図には、設備と、その設備が配置される建物の平面図が記載されている。このような設備図には、例えば、空気調和設備、照明設備、消防設備、給水設備、排水設備、電気設備、通信設備、及び共聴設備の内の何れかの設備の配置に関する情報が記載されている。設備図から、その設備を構成する装置の形状と、基準点Ｏを基準にして装置が配置された位置と、装置同士を接続する配管や電気配線などの装置間の接続情報が読み取れる。また、設備図における設備以外の領域に記載された建物の平面図を示す情報から、その設備が配置される位置が読み取れる。設備図は、第１図面の一例である。
【００２６】
図４に示す設備図は、例えば、空気調和設備に関するものである。符号Ｅ１からＥ５は、屋内に設けられた装置を示す。装置Ｅ１からＥ５は、例えば天井面に配置されている。符号ＬＤ１からＬＤ５は、配管を示す。配管ＬＤ１からＬＤ５は、例えば天井裏に設けられている。
【００２７】
配置図ＤＢ１１３には、抽出対象の設備、什器などの建物内の配置状況を示す配置図が格納される。図５は、図４の設備図に係る設備の配置図である。図５に示す配置図には、図４の設備図に示した空気調和設備の配置状況が示されている。この配置図には、図４の設備図から建物を示す平面図部分が除かれている。配置図は、第３図面の一例である。
【００２８】
基準モデルＤＢ１１４には、抽出対象の設備などの外形図が、設備ごとに格納される。
この基準モデルＤＢ１１４に格納されている外形図は、設備図に記載されている図と照合する用途に利用される。この照合により一致するものが有れば、当該設備が図面に記載されていることと、当該設備の種類を特定することができる。
【００２９】
以下、情報処理装置１００による変換処理の典型的な一例として、建物に設けられた設備に関する図を読みとって電子データに変換する場合を例示する。このような場合に、設備図から、その設備が配置された位置と、設備同士を接続する配管、電気配線などの接続情報とを抽出する際に、建物を示す平面図部分の情報が抽出結果に影響することがある。以下に示す実施形態の情報抽出処理によれば、上記のような影響を軽減させることができる。
【００３０】
（情報抽出処理）
図６を参照して、実施形態の情報処理装置１００による情報抽出処理について説明する。図６は、実施形態の情報抽出処理の手順を示すフローチャートである。
【００３１】
以下の情報抽出処理の説明を簡略化するために、印刷物である各図面は２次元の図面（２Ｄ図面）であり、例えば、平面図と設備図の尺度、建物に対する基準点の位置などが共通であると仮定する。なお、異なる尺度を同じ尺度に変換したり、建物に対する基準の位置を整合させたりすることを制限するものではなく、既知の方法で適宜実施してよい。
【００３２】
まず、指定位置取得部１２１は、情報抽出処理の対象にする所定の位置を指定する情報を取得する。画像取得部１２２は、指定された位置の平面図を平面図ＤＢ１１１から取得し、同じく設備図を設備図ＤＢ１１２から取得する（ステップＳ１０）。
【００３３】
次に、設備抽出部１２３は、設備図の記載から平面図に記載された箇所を削除して（ステップＳ２０）、削除して残った差分情報から対象の設備の図面を生成する。例えば、建物の外壁ＯＷ、内壁ＩＷなどの線は、平面図と設備図の双方に記載されていることが多い。ここで、設備図の記載から平面図に記載された箇所を削除することにより、設備に関する情報を残すことができる。
【００３４】
次に、補正処理部１２４は、設備図の記載から平面図に記載された箇所を削除した図面を補修する（ステップＳ３０）。補修方法の詳細については後述する。
【００３５】
次に、変換処理制御部１２６は、基準モデルＤＢ１１４に格納されている外形図と照合するパタンマッチングの手法を補修後の図面に対して適用して、補修後の図面に含まれる設備の図を抽出し、設備図関連の図を配置図ＤＢ１１３に記録する（ステップＳ４０）。
【００３６】
例えば、このステップＳ４０における外形図と照合するパタンマッチングの処理では、基準モデルＤＢ１１４に格納されている外形図の内、設備の種別ごとに分割された範囲であって、特定の設備の種別による所定の範囲に含まれる外形図を識別対象にする。変換処理制御部１２６は、上記のパタンマッチングの処理において外形図の外形に一致した領域がある場合、その領域に当該外形図の設備が配置されているものと判定する。変換処理制御部１２６は、その位置に配置されている設備の種別を、当該外形図に付与されている設備の種別情報にする。変換処理制御部１２６は、基準モデルＤＢ１１４に格納されている外形図を順次切り替えて、識別対象の全ての外形図の照合を終えるまで、これを繰り返す。
【００３７】
次に、出力処理部１２７は、照合の結果を出力する（ステップＳ５０）。例えば、出力処理部１２７は、上記の照合の結果に基づいて、抽出された図のなかで、外形が一致すると判定された記載を、基準モデルＤＢ１１４に基づいた照合済み設備とする。一方、抽出された図のなかで、外形が一致しないと判定された記載を、照合不可部分とする。出力処理部１２７は、照合済み設備について、設備リストに追加するとともに、図面内の表示を第１表示にする。出力処理部１２７は、照合不可部分については、図面内の表示を第２表示にする。
【００３８】
例えば、出力処理部１２７は、第１表示の色と第２表示の色を互いに異なるものにする。第１表示の色を黒に、第２表示の色を赤にしてもよい。これにより、抽出された図のなかで、外形が一致しないと判定された部分を容易に識別することができる。
【００３９】
上記の一連の処理により、設備図から設備に関する情報を抽出することができる。
【００４０】
（図面の補修の処理）
ここで、上記のステップＳ３０に係る図面の補修の処理について説明する。図７は、実施形態に係る図面を補修する処理について説明するための図である。
【００４１】
図７（ａ）は、設備図の一部を示す。図７（ｃ）は、図７（ａ）に示した設備図に対応する範囲の平面図Ｆ２を示す。図７（ｂ）と図７（ｄ）から図７（ｇ）の各図は、図７（ａ）に示した設備図に基づいた変換処理の過程で生成された図を示す。
【００４２】
図７（ａ）に示す設備図Ｆ１には、内壁ＩＷと配管ＬＤ１と配管ＬＤ１の種別（Ｄ３０Ａ）を示す情報ＴＰ１とが記載されている。例えば、配管ＬＤ１は、内壁ＩＷに対して鉛直に、そこを貫通しているものとする。これを設備図に表すと、内壁ＩＷと配管ＬＤ１とが互いの直線区間で交差している図になる。
【００４３】
設備抽出部１２３は、図７（ａ）に示す設備図Ｆ１から、例えば、文字、数字などを削除する所定のフィルタ処理により、線又は線分を抽出する。その結果を図７（ｂ）の設備図Ｆ１１に示す。
【００４４】
図７（ｃ）に示す平面図Ｆ２には、内壁ＩＷが記載されているが、配管ＬＤ１は記載されていない。設備抽出部１２３は、図７（ｂ）に示す設備図Ｆ１１から、図７（ｃ）に示す平面図Ｆ２の記載を削除する。その結果を図７（ｄ）の設備図Ｆ３に示す。
【００４５】
上記のように機械的に削除すると、設備図Ｆ１１に含まれていた配管ＬＤ１は、設備図Ｆ３に示すように、配管ＬＤ１１と配管ＬＤ１２に分断されることがある。つまり、連続していた配管ＬＤ１の一部の情報が欠落した結果、設備図Ｆ３では、配管ＬＤ１１と配管ＬＤ１２に分かれしまい、配管ＬＤ１の図が示す接続先の情報が欠落してしまっている。
【００４６】
そこで、補正処理部１２４は、次に例示する方法で、設備図Ｆ３において配管ＬＤ１が欠如している部分を補って、配管ＬＤ１の情報を修復する。
【００４７】
まず、補正処理部１２４は、設備図Ｆ３の内から配管ＬＤ１１を抽出する。この抽出は、設備図Ｆ１１と設備図Ｆ３との差分情報から、線が破断した箇所を抽出し、その一方を配管ＬＤ１１とし、他方を配管ＬＤ１２とする。ここで、補正処理部１２４は、配管ＬＤ１１を含み、配管ＬＤ１２を含まない設備図Ｆ３１と、配管ＬＤ１１を含まずに、配管ＬＤ１２を含む設備図Ｆ３２とを定義する。
【００４８】
補正処理部１２４は、設備図Ｆ３１において、配管ＬＤ１１を延在方向に延長した延長配管ＬＤ１１Ａを生成する。同様に、設備図Ｆ３２において、配管ＬＤ１２を延在方向に延長した延長配管ＬＤ１２Ａを生成する。
【００４９】
次に、設備図Ｆ３１と設備図Ｆ３２とを重ねると、それぞれの延長配管ＬＤ１１Ａと延長配管ＬＤ１２Ａとが重なる範囲がある。補正処理部１２４は、それらが重なる範囲を、当所の配管ＬＤ１の一部とみなして、配管ＬＤ１１と配管ＬＤ１２を繋いだ配管ＬＤ１Ｒを生成して、設備図Ｆ４を生成する。これにより、設備図Ｆ４では、配管ＬＤ１１と配管ＬＤ１２に基づいて、設備図Ｆ３において欠落した部分が補われて、それらが連続した配管ＬＤ１Ｒに補修されている。
【００５０】
このような図面の補修の処理を施すことによって、後段に実施する外形図の照合の識別率や、内壁ＩＷなどを貫通する配管や配線等の識別率を高めることができる。
【００５１】
上記の実施形態に示したように、情報処理装置１００における設備抽出部１２３は、少なくとも建物に関する意匠と対象の設備とが描かれている設備図と、少なくとも建物に関する意匠が描かれていて、対象の設備が描かれていない建物の平面図とに基づいて設備図と平面図との差分情報を抽出し、前記対象の設備の図を前記差分情報から生成する。これにより、情報処理装置１００は、少なくとも電子データが無い設備図から、設備図に記載されている設備の情報をデータ化することができる。
【００５２】
また、補正処理部１２４は、設備抽出部１２３による差分情報の抽出により、対象の設備に関する情報が欠落した部分を、抽出された差分情報に基づいて補間した設備図を生成する。これにより、情報処理装置１００は、上記の抽出により設備図に記載されている設備の情報が欠落しても、情報が欠落した部分を補完してデータ化することができる。
【００５３】
また、補正処理部１２４は、抽出された配管部の差分情報が所定の面内で欠落した部分を挟んで配管ＬＤ１１（第１差分情報）と配管ＬＤ１２（第２差分情報）とに分割されており、配管ＬＤ１１と配管ＬＤ１２との間を繋ぐように欠落した部分を補完することにより、設備図と平面図との差分情報を抽出する処理により欠落する部分を補って設備図中の設備の情報を再生できる。
【００５４】
また、対象の設備の形状を示すデータを用いて対象の設備を抽出することにより、設備図に記載されている設備を識別することができる。例えば、情報処理装置１００は、設備図などの２次元図面に記載された設備の図を、所望の精度で読み取ることができる。単に、画像を電子的に読み取った場合と異なり、情報処理装置１００のコンピュータがＣＡＤソフトなどで利用可能な属性情報を得ることができる。
【００５５】
（第１変形例）
実施形態の第１変形例について説明する。この第１変形例では、ステップＳ３０において抽出された配管又は配線などのうち、連続すべき直線が切断された箇所を修復する他の事例について説明する。
【００５６】
図８は、第１変形例に係る図面を補修する処理について説明するための図である。
図８（ａ）は、設備図の一部を示す。図８（ｂ）は、図８（ａ）に示した設備図に対応する範囲の平面図Ｆ２を示す。図８（ｃ）の図は、図８（ｂ）に示した平面図に基づいた変換処理により生成された図を示す。図８（ｄ）の図は、図８（ａ）に示した設備図に基づいた変換処理により生成された図である。
【００５７】
図８（ａ）に示す設備図Ｆ１には、内壁ＩＷと配管ＬＤ１と配管ＬＤ１の種別（Ｄ３０Ａ）を示す情報ＴＰ１とが記載されている。例えば、配管ＬＤ１は、内壁ＩＷに対して鉛直に、そこを貫通しているものとする。これを設備に表すと、内壁ＩＷと配管ＬＤ１とが互いの直線区間で交差している図になる。
【００５８】
図８（ｂ）に示す平面図Ｆ２には、厚さＷ１の内壁ＩＷが記載されているが、配管ＬＤ１は記載されていない。
【００５９】
例えば、図８（ａ）に示す設備図Ｆ１の内壁ＩＷと、図８（ｂ）に示す平面図Ｆ２の内壁ＩＷとを比べると、設備図Ｆ１と平面図Ｆ２が別々に作成された図面であるため、下記の事象が生じることがある。
【００６０】
・基準点Ｏを基準にして図面の位置を調整しても、内壁ＩＷの位置が、内壁ＩＷの延在方向に交わる方向に位置ズレが生じている。
・内壁ＩＷの厚さが相違する。
・内壁ＩＷを描いた線の太さが異なる。
【００６１】
上記の事象が生じると、基準点Ｏを基準にして設備図Ｆ１と平面図Ｆ２の位置を合わせて重ねても、内壁ＩＷなどの線が重ならないことがある。
【００６２】
そこで、本変形例では、補正処理部１２４は、図８（ｂ）に示す平面図Ｆ２の内壁ＩＷを、壁芯を中心に厚さＷ２に変換して、平面図Ｆ２１を作成する。
【００６３】
補正処理部１２４は、図８（ａ）に示す設備図Ｆ１から、図８（ｃ）に示す平面図Ｆ２１の記載を削除する。その結果を図８（ｄ）の設備図Ｆ３に示す。上記の削除により、設備図Ｆ１１に含まれていた配管ＬＤ１は、設備図Ｆ３に示すように、配管ＬＤ１１と配管ＬＤ１２に分断される。
【００６４】
上記のように、補正処理部１２４は、配管ＬＤ１１と配管ＬＤ１２に分断された箇所は、実施形態の手法を適用して補修するとよい。
【００６５】
上記の変形例によれば、平面図（第２図面）に描かれた線を太く変換した後に差分情報を抽出することにより、設備図Ｆ１と平面図Ｆ２に共通する箇所が、作図段階で相違していたとしても、削除する範囲を広くすることにより漏れなく内壁ＩＷ、外壁ＯＷなどを削除できる。
【００６６】
なお、上記の内壁ＩＷの厚さを変換することに代えて、平面図Ｆ２１の線の幅を太くする変換処理にしてもよい。この場合、補正処理部１２４は、例えば、内壁ＩＷを示す線の幅を、各線の中心を基準にして太くした平面図Ｆ２１を作成する。その線の幅は、設備図Ｆ１の線と平面図Ｆ２の線の位置ずれの大きさなどにより決定してよい。その他の処理は、実施形態の処理と同様で良い。
【００６７】
（第２変形例）
実施形態の第２変形例について説明する。この第２変形例では、設備図から、記載されている文字と数字を抽出する事例について説明する。
【００６８】
図９は、第２変形例に係る文字と数字を抽出する処理について説明するための図である。図９（ａ）は、設備図の一部を示す。図９（ｂ）は、図９（ａ）に示した設備図に対応する範囲の平面図Ｆ２を示す。図９（ｃ）の図は、図９（ａ）に示した設備図と図９（ｂ）に示した平面図とに基づいた変換処理により生成された図を示す。図９（ｃ）の図は、前述の図７（ｇ）の図に相当する。図９（ｄ）の図は、図９（ａ）に示した設備図に基づいた変換処理により生成された図である。
【００６９】
図９（ａ）に示す設備図Ｆ１には、内壁ＩＷと配管ＬＤ１と配管ＬＤ１の種別（Ｄ３０Ａ）を示す情報ＴＰ１とが記載されている。図９（ｂ）に示す平面図Ｆ２には、内壁ＩＷが記載されているが、配管ＬＤ１は記載されていない。図９（ｃ）に示す図Ｆ４には、内壁ＩＷが記載されず、配管ＬＤ１Ｒが記載されている。
【００７０】
補正処理部１２４は、図９（ａ）に示す設備図Ｆ１から、図９（ｃ）に示す平面図Ｆ２の記載と、図９（ｃ）に示す図Ｆ４の記載を削除する。その結果を図９（ｄ）の図Ｆ５に示す。上記の削除により、設備図Ｆ１１に含まれていた文字と数字は、図Ｆ５に示すように残る。補正処理部１２４は、この図Ｆ５の文字と数字などの記載をＯＣＲ（Optical Character Recognition/Reader）機能で識別する。
【００７１】
なお、補正処理部１２４は、上記の処理により識別した文字と数字などの記載を新たな図の生成に利用できるように、記憶領域に書き込んだり、ＣＡＤシステムにおける設備の属性情報として登録したりしてもよい。
【００７２】
上記の変形例によれば、情報処理装置１００が設備図から設備の位置などを抽出することに加え、設備図に記載の文字と数字を読み取ることにより、文字や数字を入力する作業の負担を軽減することができる。
【００７３】
（第３変形例）
実施形態の第３変形例について説明する。この第３変形例では、設備図から、記載されている文字と数字を抽出する他の事例について説明する。
【００７４】
図１０は、第３変形例に係る文字と数字を抽出する処理について説明するための図である。図１０（ａ）は、設備図の一部を示す。図１０（ｂ）と図１０（ｃ）の図は、図１０（ａ）に示した設備図に基づいた変換処理により生成された図である。
【００７５】
図１０（ａ）に示すように、設備図などに記載された対象に対して参照指定（品目指定（Item designation））や、信号指定などの情報を対応付けて記載することがある。参照指定や信号指定は、文字と数字の組み合わせによる情報である。この場合、参照指定や信号指定の対象に対する対応付けを、引出線（参照線）を用いて表すことがある。
【００７６】
設備抽出部１２３は、図１０（ａ）に示す設備図Ｆ１から、例えば、文字、数字などの情報ＴＰ１を、所定のフィルタ処理により抽出する。その抽出結果の情報ＴＰ１１を、図１０（ｂ）の設備図Ｆ５１に示す。或いは、その抽出結果の情報ＴＰ１２を、図１０（ｃ）の設備図Ｆ５２に示す。
【００７７】
図１０（ｂ）に示す情報ＴＰ１１は、文字と数字の組み合わせを抽出し、引出線（参照線）を抽出対象から除いている。これに対し、図１０（ｃ）に示す情報ＴＰ１２は、文字と数字の組み合わせの抽出時に、引出線（参照線）を抽出対象に含めて抽出している。設備抽出部１２３は、上記の何れかを選択して実施することができる。
【００７８】
これにより、設備抽出部１２３が設備図に記載されている文字と数字の何れかを含む指定情報を抽出し、抽出された指定情報を、変換処理制御部１２６が、その対象の設備に関連付けるようにしてもよい。変換処理制御部１２６は、引出線が示す情報に基づいて上記を関連付けるとよい。
【００７９】
上記の変形例によれば、情報処理装置１００が設備図から設備の位置などを抽出することに加え、設備図に記載の文字と数字を読み取ることにより、文字や数字を入力する作業の負担を軽減することができる。また、読み取った文字と数字に関係する対象物を特定することにより、読み取った文字と数字を、対象物に対応付ける作業の負担を軽減することができる。
【００８０】
以上、本発明の一実施形態について説明したが、本発明の実施形態は上記のものに限定されない。例えば、各実施形態とその変形例に例示した手法は、例示した組合せ以外の組みにしてもよい。また、本発明の実施形態は、上記の実施形態を次のように変形したものとすることができる。
【符号の説明】
【００８１】
１００  情報処理装置、１１０  記憶部、１１１  平面図ＤＢ、１１２  設備図ＤＢ、１１３  配置図ＤＢ、１１４  基準モデルＤＢ、１２０  制御部、１２１  指定位置取得部、１２２  画像取得部、１２３  設備抽出部（差分情報抽出部）、１２４  補正処理部（補間処理部）、１２６  変換処理制御部、１２７  出力処理部
【図１】
2019128778.tif 000003
【図２】
2019128778.tif 000004
【図３】
2019128778.tif 000005
【図４】
2019128778.tif 000006
【図５】
2019128778.tif 000007
【図６】
2019128778.tif 000008
【図７】
2019128778.tif 000009
【図８】
2019128778.tif 000010
【図９】
2019128778.tif 000011
【図１０】
2019128778.tif 000012